(57)【特許請求の範囲】
【請求項１】
弁孔が開設され、その弁孔の中央に開口する供給流路、その両側に開口する二つの出力流路及びそれらの両側に開口する二つの排出流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、
第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；
を備えたものにおいて、
上記弁ボディの弁孔に内挿する弁体を、供給流路の両側において該供給流路の流体圧による作用力を弁体の復帰力とする二つの弁体により構成し、これらの弁体に、それぞれ出力流路を供給流路と排出流路とに切換連通させるための第１及び第２のシール部を設け、
上記両弁体におけるピストンが当接する端部に、該弁体の軸方向の移動をガイドするガイド部を設けると共に、供給流路の両側に位置するランド上の封止位置とそのランドから供給流路側に離脱した流通位置とに切換え移動する第１のシール部において、弁体の周囲に、その第１のシール部が流通位置にあるときにも上記ランド上に位置する複数の軸方向ガイド部を設け、
上記第１のシール部と、出力流路と排出流路との間に位置するランド上の封止位置とそのランドから離脱した流通位置とに切換え移動する第２のシール部との間、及び該第２のシール部と両弁体におけるピストンが当接する端部の上記ガイド部との間において、弁体の中心軸の周囲に該弁体の軸線方向に延びる複数のリブを、それらのリブの間にそれぞれ流体の流路溝を介在させて設け、且つ上記軸方向ガイド部を該リブ上に設けた、
ことを特徴とする５ポート電磁弁ボディを利用した３ポート電磁弁。
【請求項２】
弁孔が開設され、その弁孔の中央に開口する供給流路、その両側に開口する二つの出力流路及びそれらの両側に開口する二つの排出流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、
第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；
を備えたものにおいて、
上記弁ボディの弁孔に内挿する弁体を、供給流路の両側において該供給流路の流体圧による作用力を弁体の復帰力とする二つの弁体により構成し、これらの弁体に、それぞれ出力流路を供給流路と排出流路とに切換連通させるための第１及び第２のシール部を設け、
上記両弁体におけるピストンが当接する端部に、該弁体の軸方向の移動をガイドするガイド部を設けると共に、供給流路の両側に位置するランド上の封止位置とそのランドから出力流路側に離脱した流通位置とに切換え移動する第１のシール部において、弁体の周囲に、その第１のシール部が流通位置にあるときにも上記ランド上に位置する複数の軸方向ガイド部を設け、
上記出力流路と排出流路との間に位置するランド上の封止位置とそのランドから離脱した流通位置とに切換え移動する第２のシール部と両弁体におけるピストンが当接する端部の上記ガイド部との間において、弁体の中心軸の周囲に該弁体の軸線方向に延びる複数のリブを、それらのリブの間にそれぞれ流体の流路溝を介在させて設けた、
ことを特徴とする５ポート電磁弁ボディを利用した３ポート電磁弁。
【請求項３】
弁孔が開設され、その弁孔の中央に開口する供給流路、その両側に開口する二つの出力流路及びそれらの両側に開口する二つの排出流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、
第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；
を備えたものにおいて、
上記弁ボディの弁孔に内挿する弁体を、供給流路の両側において該供給流路の流体圧による作用力を弁体の復帰力とする二つの弁体により構成し、これらの弁体に、それぞれ出力流路を供給流路と排出流路とに切換連通させるための第１及び第２のシール部を設け、
上記両弁体におけるピストンが当接する端部に、該弁体の軸方向の移動をガイドするガイド部を設けると共に、供給流路の両側に位置するランド上の封止位置とそのランドから離脱した流通位置とに切換え移動する第１のシール部において、弁体の周囲に、その第１のシール部が流通位置にあるときにも上記ランド上に位置する複数の軸方向ガイド部を設け、
一方の弁体においては、上記第１のシール部と、出力流路と排出流路との間に位置するランド上の封止位置とそのランドから離脱した流通位置とに切換え移動する第２のシール部との間、及び該第２のシール部と両弁体におけるピストンが当接する端部の上記ガイド部との間において、弁体の中心軸の周囲に該弁体の軸線方向に延びる複数のリブを、それらのリブの間にそれぞれ流体の流路溝を介在させて設け、且つ上記軸方向シール部を該リブ上に設け、
他方の弁体においては、出力流路と排出流路との間に位置するランド上の封止位置とそのランドから離脱した流通位置とに切換え移動する第２のシール部と両弁体におけるピストンが当接する端部の上記ガイド部との間において、弁体の中心軸の周囲に該弁体の軸線方向に延びる複数のリブを、それらのリブの間にそれぞれ流体の流路溝を介在させて設けた、
ことを特徴とする５ポート電磁弁ボディを利用した３ポート電磁弁。
【発明の詳細な説明】
【０００１】
【発明の属する技術分野】
本発明は、多数の５ポート電磁弁等を連設して多連の弁として使用する場合にそれらと混用するのに適した３ポート電磁弁に関するものである。
【０００２】
【従来の技術】
各種の流体圧駆動機器の動作を制御するため、５ポートのパイロット式電磁切換弁等をレールやマニホールド・ベース上で多連に連設して使用することが一般的に行われているが、それらの弁の中に３ポート電磁弁を必要とする場合も少なくない。しかしながら、３ポート弁は５ポート弁とは形態を異にし、それらと共に多連に連設するには種々の問題点がある。
このような問題点は、５ポート電磁弁用の弁ボディをそのまま利用してそれに二つの３ポート弁を組み込んだ電磁弁とすることにより解消され、しかも、部品の共通化により製品を安価に提供でき、４位置弁として使用することも可能になる。
【０００３】
しかしながら、５ポート弁の弁ボディにおける弁孔は、本来、単一の弁体がその両端でガイドされて挿入されるものであり、その弁孔に二分割した３ポート弁の弁体を挿入すると、弁体の供給流路側がガイドされず、各弁体の姿勢が不安定になる。そのため、シール部材が安定的にシール機能を発揮せず、また、シール部材がランドに乗り上げる際に、該シール部材が嵌着溝から脱出したり、ランドと弁体との間に噛み込まれ、破損するなどの問題も生じることになる。
【０００４】
【発明が解決しようとする課題】
本発明の技術的課題は、５ポートの電磁切換弁等と共に多連に連設して使用するため、５ポート電磁弁用の弁ボディをそのまま利用して、それに二つの３ポート弁を組み込んだ電磁弁において、弁体の軸方向移動を安定的にガイド可能にすることにある。
【０００５】
【課題を解決するための手段】
上記課題を解決するための本発明の第１の電磁弁は、弁孔が開設され、その弁孔の中央に開口する供給流路、その両側に開口する二つの出力流路及びそれらの両側に開口する二つの排出流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；を備えたものにおいて、上記弁ボディの弁孔に内挿する弁体を、供給流路の両側において該供給流路の流体圧による作用力を弁体の復帰力とする二つの弁体により構成し、これらの弁体に、それぞれ出力流路を供給流路と排出流路とに切換連通させるための第１及び第２のシール部を設け、上記両弁体におけるピストンが当接する端部に、該弁体の軸方向の移動をガイドするガイド部を設けると共に、供給流路の両側に位置するランド上の封止位置とそのランドから供給流路側に離脱した流通位置とに切換え移動する第１のシール部において、弁体の周囲に、その第１のシール部が流通位置にあるときにも上記ランド上に位置する複数の軸方向ガイド部を設け、上記第１のシール部と、出力流路と排出流路との間に位置するランド上の封止位置とそのランドから離脱した流通位置とに切換え移動する第２のシール部との間、及び該第２のシール部と両弁体におけるピストンが当接する端部の上記ガイド部との間において、弁体の中心軸の周囲に該弁体の軸線方向に延びる複数のリブを、それらのリブの間にそれぞれ流体の流路溝を介在させて設け、且つ上記軸方向ガイド部を該リブ上に設けたことを特徴とするものである。
【０００６】
上記課題を解決するための本発明の第２の電磁弁は、弁孔が開設され、その弁孔の中央に開口する供給流路、その両側に開口する二つの出力流路及びそれらの両側に開口する二つの排出流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；を備えたものにおいて、上記弁ボディの弁孔に内挿する弁体を、供給流路の両側において該供給流路の流体圧による作用力を弁体の復帰力とする二つの弁体により構成し、これらの弁体に、それぞれ出力流路を供給流路と排出流路とに切換連通させるための第１及び第２のシール部を設け、上記両弁体におけるピストンが当接する端部に、該弁体の軸方向の移動をガイドするガイド部を設けると共に、供給流路の両側に位置するランド上の封止位置とそのランドから出力流路側に離脱した流通位置とに切換え移動する第１のシール部において、弁体の周囲に、その第１のシール部が流通位置にあるときにも上記ランド上に位置する複数の軸方向ガイド部を設け、上記出力流路と排出流路との間に位置するランド上の封止位置とそのランドから離脱した流通位置とに切換え移動する第２のシール部と両弁体におけるピストンが当接する端部の上記ガイド部との間において、弁体の中心軸の周囲に該弁体の軸線方向に延びる複数のリブを、それらのリブの間にそれぞれ流体の流路溝を介在させて設けたことを特徴とするものである。
また、本発明の第３の３ポート電磁弁は、上記電磁弁が備える二つの弁体のうちの一方が上記第１の電磁弁における弁体であり、弁体の他方が上記第２の電磁弁における弁体としたものである。
【０００７】
このような構成を有する電磁弁では、５ポート電磁弁の弁ボディをそのまま利用し、各種部品を５ポート電磁弁と共通化できるので、５ポートの電磁切換弁等と共に多連に連設して混用できる３ポート電磁弁を安価に提供することが可能になる。また、弁孔に挿入する弁体を二つに分割だけでは弁体の姿勢が不安定になが、上記ガイド部を設けることにより、必要な流量を確保しながら、このシール部材のランドに対する乗り上げを適正化することが可能になる。
【０００８】
【発明の実施の形態】
図１及び図２は、本発明に係る電磁弁の第１実施例を示している。この電磁弁は、５ポート電磁弁用の弁ボディをそのまま利用し、その内部の弁孔に以下に説明する二つの３ポート弁用の弁体を組み込んだもので、図１では二つの３ポート常閉弁のオフ状態を、図２では同オン状態を示している。この電磁弁は、上記弁体を組み込んだ主弁１１と、２個のパイロット電磁弁１２Ａ，１２Ｂとを有するパイロット弁部１２とを備え、主弁１１の底蓋１３によって、図示を省略したＤＩＮレール上に多数の５ポート電磁弁等と共に連設可能にしたものである。
【０００９】
上記主弁１１は、上記底蓋１３及び上蓋１４を取付けた弁ボディ１５と、その弁ボディ１５の一端面に取付けたピストン箱１６と、その弁ボディ１５の他端面に取付けたエンドプレート１８とを備えている。この弁ボディ１５は、５ポート電磁弁用のものをそのまま利用するため、複数の弁ボディ１５を連設する方向に貫通し、それらの連設により相互に連通せしめられる圧縮空気の供給通孔Ｐ、第１及び第２排出通孔ＥＡ，ＥＢ、並びにパイロット供給通孔ｐｓを備え、また、上記ピストン箱１６及びエンドプレート１８を取付けた両端面間を貫通する弁孔２０を備えている。そして、この弁孔２０には、上記供給通孔Ｐに連通する中央の供給流路２１、その両側に位置する二つの出力流路２２Ａ，２２Ｂ、並びにそれらの両側に位置して上記第１及び第２排出通孔ＥＡ，ＥＢと連通する二つの排出流路２３Ａ，２３Ｂを開口させている。
なお、上記主弁１１は、底蓋１３によりＤＩＮレール上に連設するようにしているが、供給通孔Ｐ、第１及び第２排出通孔ＥＡ，ＥＢ、並びにパイロット供給通孔ｐｓ等をマニホールドベース中に設け、弁孔２０する弁ボディ１５をそのマニホールドベース上に連設した構成とすることもできる。
【００１０】
上記弁ボディ１５の弁孔２０に摺動自在に内挿する弁体は、供給流路２１の両側において該供給流路の流体圧による作用力を復帰力とする二つの弁体２５Ａ，２５Ｂにより構成している。また、上記弁孔２０の軸方向両側には、それぞれ弁体２５Ａ，２５Ｂとは別体であるが、パイロット流体圧の作用を受けてそれらの弁体２５Ａ，２５Ｂを押圧する該弁体よりも大径の第１、第２のピストン２６Ａ，２６Ｂを配設している。
【００１１】
上記弁体２５Ａ，２５Ｂは、供給流路２１と出力流路２２Ａ，２２Ｂとの間を開閉するシール部材２８Ａ，２８Ｂと、出力流路２２Ａ，２２Ｂと排出流路２３Ａ，２３Ｂとの間を開閉するシール部材２９Ａ，２９Ｂとを備えている。上記シール部材２８Ａ，２８Ｂは、弁体の動作に伴って、供給流路２１上の中間位置（図２）と、供給流路２１と出力流路２２Ａ，２２Ｂとの間のランド３１Ａ，３１Ｂに乗り上げた封止位置（図１）との間の移動を繰り返し、一方、シール部材２９Ａ，２９Ｂは、排出流路２３Ａ，２３Ｂ上の中間位置（図１）と、排出流路２３Ａ，２３Ｂと出力流路２２Ａ，２２Ｂとの間のランド３２Ａ，３２Ｂに乗り上げた封止位置（図２）との間の移動を繰り返すものである。しかも、一つの弁体における一方のシール部が中間位置にあるときには他方のシール部が封止位置にあり、逆に、一方のシール部が封止位置にあるときには他方のシール部が中間位置をとるように形成している。
【００１２】
上記弁体２５Ａ，２５Ｂは、本来、５ポート弁の場合に単一の弁体がその両端でガイドされて挿入される弁孔２０に、二分割したものとして挿入されるため、弁体の供給流路２１側でのガイドを考慮しないと、弁体の姿勢が不安定になり、弁孔２０の軸心に対して弁体２５Ａ，２５Ｂの軸心が傾斜し、上記シール部材がランド乗り上げるとき、それらのシール部材が嵌着溝から脱出したり、ランドと弁体との間に噛み込まれる可能性がある。
【００１３】
そこで、上記弁体２５Ａ，２５Ｂにおいては、それらのピストン側端部のシール部材（Ｏリング）３４に隣接する部分にガイド部３５を設けると共に、供給流路２１を開閉するシール部材２８Ａ，２８Ｂ、即ち、供給流路２１の一側のランド３１Ａまたは３１Ｂから外れた流通位置（図２）と、そのランドに乗り上げる封止位置（図１）とに切り換えられるシール部材２８Ａ，２８Ｂの各ピストン２６Ａ，２６Ｂ側における弁体の周囲に、シール部材２８Ａ，２８Ｂがランド３１Ａ，３１Ｂから外れたときもそのランド上にあって、該シール部材のランドへの乗り上げをガイドする複数の軸方向ガイド部３６を設けている（図３参照）。
これらのガイド部３５，３６は、後述する実施例を含めて、弁体２５Ａ，２５Ｂの姿勢を安定化することを目的として設けたものである。
【００１４】
図３に明瞭に示すように、供給流路２１と出力流路２２Ａ，２２Ｂの間の流路を開閉する第１のシール部と、該出力流路と排出流路２３Ａ，２３Ｂとの間の流路を開閉する第２のシール部との間において、弁体２５Ａ，２５Ｂの中心軸２５ａの周囲に該弁体の軸線方向に延びる複数のリブ３６ａを、それらのリブの間にそれぞれ流体の流路溝３７を介在させて設け、そして、上記ガイド部３６は第１のシール部に連接して、上記リブ３６ａ上に設けている。また、上記第２のシール部と両弁体におけるピストン２６Ａ，２６Ｂが当接する端部の上記ガイド部３５との間にも、弁体の中心軸２５ａの周囲に該弁体の軸線方向に延びる複数のリブ３６ｂを、それらの間にそれぞれ流体の流路溝を介在させて設けている。
このような構造の弁体２５Ａ，２５Ｂは、形状が複雑化するため、潤滑性において優れた合成樹脂による成形で製造するのが特に有効である。
【００１５】
弁ボディ１５に取付けたエンドプレート１８の外側面には、第１及び第２の出力ポートＡ，Ｂを上下方向に並べて開設し、弁孔２０に開口する第１、第２の出力流路２２Ａ，２２Ｂを、弁ボディ１５内に形成した通路によってそれらの出力ポートＡ，Ｂに連通させている。図中、３８はこれらの出力ポートＡ，Ｂに装着したワンタッチ継手を示している。
上記第１の出力流路２２Ａと出力ポートＡとの連通は、まず、第１出力流路２２Ａを弁ボディ１５の上面の凹部に上蓋１４を取付けることにより形成される流路４１ｂに対し、導出流路４１ａにより開口させ、流路４１ｂを弁ボディ１５に開設した通孔４１ｃを通して第１出力ポートＡに開口させることにより行っている。一方、反対側の上記第２出力流路２２Ｂは、弁ボディ１５の下面に対して導出流路４２ａにより開口させると共に、該導出流路４２ａを弁ボディ１５に開設した通孔４２ｃを経て第２出力ポートＢに連通させている。
【００１６】
上記ピストン箱１６に形成された第１ピストン室４５Ａには前記第１ピストン２６Ａが、また、エンドプレート１８に形成された第２ピストン室４５Ｂには第２ピストン２６Ｂが、それぞれ気密に摺動可能に挿入されており、第１パイロット出力通路４８Ａから第１ピストン室４５Ａにパイロット流体を供給すると、弁体２５Ａよりも大径の第１ピストン２６Ａに作用するパイロット流体圧による作用力が、弁体２５Ａの反対側端面に作用する供給通孔Ｐからの圧力流体による作用力に勝るので、弁体２５Ａが図１の切換位置から図２に示す切換位置まで右動し、それによりシール部材２８Ａが供給流路２１を第１出力流路２２Ａに連通させると共に、シール部材２９Ａが第１出力流路２２Ａと第１排出流路２３Ａとの間を封止するので、第１出力ポートＡから圧力流体が出力される。第１ピストン室４５Ａのパイロット流体が排出されると、上記供給通孔Ｐからの圧力流体による作用力で弁体２５Ａは復帰する。
【００１７】
また、第２パイロット出力通路４８Ｂから第２ピストン室４５Ｂにパイロット流体を供給したときも、同様にして第２ピストン２６Ｂと弁体２５Ｂが図１に示す切換位置から図２に示す切換位置から左動し、それによりシール部材２８Ｂが供給流路２１と第２出力流路２２Ｂとを連通させると共に、シール部材２９Ｂが第２出力流路２２Ｂと第２排出流路２３Ｂとの間を封止するので、第２出力ポートＢから圧力流体が出力される。
【００１８】
パイロット弁部１２に並設されて弁体２５Ａ，２５Ｂを駆動する第１、第２パイロット電磁弁１２Ａ，１２Ｂは、パイロット入口通路４７、前記パイロット出力通路４８Ａ，４８Ｂ及びパイロット排気通路４９を備え、ソレノイド５０Ａ，５０Ｂの励磁とその解除によって、パイロット出力通路４８Ａ，４８Ｂをパイロット入口通路４７とパイロット排気通路４９とに切り換えて連通させる周知の常閉形３ポート電磁弁として構成されている。
これらのパイロット電磁弁１２Ａ，１２Ｂのパイロット入口通路４７は、パイロット弁本体５１、ピストン箱１６及び弁ボディ１５に形成した通路によってパイロット供給通路ｐｓに連通し、電磁弁１２Ａのパイロット出力通路４８Ａは第１ピストン室４５Ａに連通し、電磁弁１２Ｂのパイロット出力通路４８Ｂは第２ピストン室４５Ｂに連通し、電磁弁１２Ａ，１２Ｂのパイロット排気通路４９はパイロット排出通路ｐｅに連通している。
【００１９】
上記パイロット電磁弁１２Ａ，１２Ｂは、パイロット弁本体５１の両側に位置して互いに連動する入口弁体５２Ａ，５２Ｂと排気弁体５３Ａ，５３Ｂを備え、ソレノイド５０Ａまたは５０Ｂを励磁すると、入口弁体５２または５２Ｂが開放して、パイロット入口通路４７と第１または第２パイロット出力通路４８Ａ，４８Ｂとを個別的に連通させると共に、排気弁体５３Ａ，５３Ｂが閉鎖されて、パイロット出力通路４８Ａまたは４８Ｂからパイロット排気通路４９に至る通路が遮断される。その結果、ピストン室４５Ａまたは４５Ｂにパイロット流体が供給される。また、ソレノイド５０Ａまたは５０Ｂの励磁を解除すると、入口弁体５２Ａ，５２Ｂが閉鎖すると共に、排気弁体５３Ａ，５３Ｂが開放し、パイロット出力通路４８Ａまたは４８Ｂからパイロット排気通路４９に至る通路が開放されて、ピストン室４５Ａまたは４５Ｂに送入されていた圧力流体が個別的に排出され、その結果、供給通孔Ｐから供給流路２１を経て弁孔２０に流入している流体圧力による作用力が弁体２５Ａ，２５Ｂの復帰力となり、それらの弁体が復帰動作する。
【００２０】
パイロット弁本体５１及びピストン箱１６に設けた第１、第２手動操作子５４Ａ，５４Ｂは、常時はばねにより突出方向に付勢されて押圧可能に設けられている。これらは、停電等の事故によってソレノイド５０Ａ，５０Ｂによる弁体２５Ａ，２５Ｂの駆動ができなくなったとき、それらの押圧により、パイロット供給通路ｐｓをパイロット出力通路４８Ａ，４５Ｂに連通させ、弁体２５Ａ，２５Ｂを駆動可能にするものである。
【００２１】
上記第１実施例は、弁ボディ１５内に二つの常閉形３ポート弁を構成する弁体２５Ａ，２５Ｂを収容したものであるが、図４に示す第２実施例のように、弁体の構造を若干変更することにより、二つの常開形３ポート弁を備えたものとすることができる。
この第２実施例の弁孔２０内に摺動自在に配設された二つの弁体５５Ａ，５５Ｂは、前記第１実施例と同様に、供給流路２１の両側において該供給流路２１の流体圧による作用力を弁体５５Ａ，５５Ｂの復帰力とするもので、これらの弁体５５Ａ，５５Ｂに、供給流路２１と出力流路２２Ａ，２２Ｂとの間を開閉するシール部材５８Ａ，５８Ｂと、出力流路２２Ａ，２２Ｂと排出流路２３Ａ，２３Ｂとの間を開閉するシール部材５９Ａ，５９Ｂとを備えている。
【００２２】
前記第１実施例のシール部材２８Ａ，２８Ｂは、弁体の動作に伴って、供給流路２１上の中間位置と、供給流路２１と出力流路２２Ａ，２２Ｂとの間のランド３１Ａ，３１Ｂに乗り上げた封止位置との間の移動を繰り返し、一方、シール部材２９Ａ，２９Ｂは、排出流路２３Ａ，２３Ｂ上の中間位置と、排出流路２３Ａ，２３Ｂと出力流路２２Ａ，２２Ｂとの間のランド３２Ａ，３２Ｂに乗り上げた封止位置との間の移動を繰り返すものであるが、この第２実施例においては、シール部材５８Ａ，５８Ｂが、弁体の動作に伴って、出力流路２２Ａまたは２２Ｂ上の中間位置と、供給流路２１と出力流路２２Ａ，２２Ｂとの間のランド３１Ａ，３１Ｂに乗り上げた封止位置との間を移動し、シール部５９Ａ，５９Ｂが、出力流路２２Ａまたは２２Ｂ上の中間位置と、排出流路２３Ａ，２３Ｂと出力流路２２Ａ，２２Ｂとの間のランド３２Ａ，３２Ｂに乗り上げた位置との間を移動するもであり、これにより、二つの弁体５５Ａ，５５Ｂは、それぞれ常開形の３ポート弁を構成することになる。
一つの弁体における一方のシール部が中間位置にあるときには他方のシール部が封止位置にあり、逆に、一方のシール部が封止位置にあるときには他方のシール部が中間位置をとるのは勿論である。
【００２３】
また、弁体５５Ａ，５５Ｂの姿勢を安定化すると共に、シール部材５８Ａ，５８Ｂのランドへの乗り上げを円滑にするため、弁体５５Ａ，５５Ｂのピストン側端部に第１実施例と同様なガイド部３５を設けると共に、シール部材５８Ａ，５８Ｂの上記供給流路２１側における弁体の周囲に、シール部材５８Ａ，５８Ｂがランド３１Ａ，３１Ｂから外れたときもそのランド上にあって該シール部材のランドへの乗り上げをガイドする複数の軸方向ガイド部６２を、それらの間に上記供給流路２１を流れる流体の流路溝６３を置いて設けている。
なお、この第２実施例におけるその他の構成及び作用は第１実施例の場合と実質的に変わるところがないので、図中の主な同一または相当部分に同一の符号を付してそれらの説明を省略する。
【００２４】
図５は、本発明の第３実施例を示している。この電磁弁は、前記第１実施例と同じ５ポート弁用の弁ボディ１５を用い、弁孔２０に挿入した一方の弁体６５Ａも第１実施例と同じ常閉弁として構成しているが、他方の弁体６５Ｂは、上記第２実施例の場合と同じ常開弁として構成している。供給流路２１の両側において該供給流路の流体圧による作用力を弁体６５Ａ，６５Ｂの復帰力とする点でも前記実施例と同様であり、弁体６５Ａ，６５Ｂの姿勢を安定化させるため、弁体の両端に近い位置にガイド部３５及び軸方向ガイド部３６，６２を設けている点でも、前記両実施例と同様である。
なお、この第３実施例におけるその他の構成及び作用は、弁体６５Ａについては第１実施例と、弁体６５Ｂについては第２実施例と実質的に変わるところがないので、図中の主な同一または相当部分にそれらと同一の符号を付して説明を省略する。
【００２５】
【発明の効果】
以上に詳述した本発明の３ポート電磁弁によれば、５ポート電磁弁用の弁ボディを利用してそれに二つの３ポート電磁弁を組み込み、多数の５ポート弁等を連設して使用する場合に、それらと共に混用することができるようにした安価な３ポート弁を得ることができ、しかも、その５ポート電磁弁用弁ボディを利用した電磁弁において、弁体の軸方向移動を安定的にガイドすることができる。また、弁体の構造を若干変更するだけで、常閉弁または常開弁とすることができる。
【図面の簡単な説明】
【図１】本発明に係る３ポート電磁弁の第１実施例のオフ状態の構成を示す断面図である。
【図２】上記第１実施例の電磁弁のオン状態を示す要部断面図である。
【図３】上記第１実施例において用いている弁体の構造を示す拡大斜視図である。
【図４】本発明に係る３ポート電磁弁の第２実施例の構成を示す要部断面図である。
【図５】本発明に係る３ポート電磁弁の第３実施例の構成を示す要部断面図である。
【符号の説明】
１１    主弁
１２    パイロット弁部
１２Ａ，１２Ｂ  パイロット弁
１５    弁ボディ
２０    弁孔
２１    供給流路
２２Ａ，２２Ｂ  出力流路
２３Ａ，２３Ｂ  排出流路
２５Ａ，２５Ｂ，５５Ａ，５５Ｂ，６５Ａ，６５Ｂ  弁体
２６Ａ，２６Ｂ  ピストン
２８Ａ，２８Ｂ  シール部材
２９Ａ，２９Ｂ，５９Ａ，５９Ｂ  シール部材
３５    ガイド部
３６，６２    軸方向ガイド部
３７，６３    流路溝
５０Ａ，５０Ｂ  ソレノイド
【図１】
0004072738.tif 000002
【図２】
0004072738.tif 000003
【図３】
0004072738.tif 000004
【図４】
0004072738.tif 000005
【図５】
0004072738.tif 000006